(57)【要約】【課題】本発明は小型化が容易な無線端末を提供するとともに、通信品質の改善や通信可能範囲の拡大が可能な無線端末を提供することを目的とする。【解決手段】電波を放射もしくは受信するアンテナ１３を備え、所定の筐体１１に収納された無線端末において、筐体１１の設置面１１ａもしくは底面の主要部分を平坦な形状に形成するとともに、アンテナ１３をその一部分が筐体の設置面１１ａもしくは底面の表面に露出する状態で配置したことを特徴とする。設置面１１ａに導電体を配置する。設置面１１ａに間隙１６又は絶縁体を設ける。アンテナの接地電極を設置面に設ける。ネックレス状に構成して人体に装着して使用する。【選択図】      図１
2004159263.tif 000002
【特許請求の範囲】
【請求項１】
電波を放射もしくは受信するアンテナを備え、所定の筐体に収納された無線端末において、
前記筐体の設置面もしくは底面の主要部分を平坦な形状に形成するとともに、前記アンテナをその一部分が前記筐体の設置面もしくは底面の表面に露出する状態で配置したことを特徴とする無線端末。
【請求項２】
電波を放射もしくは受信するアンテナを備え、所定の筐体に収納された無線端末において、
前記筐体の設置面もしくは底面の主要部分の表面に板状の導電体を露出する状態で配置し、
前記アンテナをその一部分が前記設置面もしくは底面の導電体と接触もしくは接近した状態で配置した
ことを特徴とする無線端末。
【請求項３】
電波を放射もしくは受信するアンテナを備え、所定の筐体に収納された無線端末において、
前記アンテナをその一部分が前記筐体の設置面もしくは底面に対向する状態で配置するとともに、前記アンテナの先端部と前記筐体の設置面もしくは底面との間に、所定間隔の間隙又は絶縁体を設けた
ことを特徴とする無線端末。
【請求項４】
電波を放射もしくは受信するアンテナを備え、所定の筐体に収納された無線端末において、
前記筐体の設置面もしくは底面の主要部分を平坦な形状に形成するとともに、前記アンテナの接地電極をその一部分が前記筐体の設置面もしくは底面の表面に露出する状態で配置したことを特徴とする無線端末。
【請求項５】
電波を放射もしくは受信するアンテナを備え、所定の筐体に収納された無線端末において、
前記筐体の設置面もしくは底面の主要部分の表面に板状の導電体を露出する状態で配置し、
前記アンテナの接地電極をその一部分が前記設置面もしくは底面の導電体と接触もしくは接近した状態で配置した
ことを特徴とする無線端末。
【請求項６】
電波を放射もしくは受信するアンテナを備え、所定の筐体に収納された無線端末において、
前記アンテナもしくはその接地電極を少なくともその一部分が前記筐体の外側に露出する状態で配置するとともに、
前記アンテナもしくはその接地電極の露出部分と接触もしくは接近した状態で連結可能に構成され、可撓性の線状の導電体もしくはチェーン状の導電体で形成された取り付け部材を設けたことを特徴とする無線端末。
【請求項７】
請求項１，請求項２，請求項３，請求項４，請求項５及び請求項６のいずれかの無線端末において、前記アンテナの長さを、アンテナ利得が最大になる理想長に比べて２／３以下に定めたことを特徴とする無線端末。
【請求項８】
請求項１，請求項２，請求項３，請求項４，請求項５及び請求項６のいずれかの無線端末において、前記アンテナの長さを、アンテナ利得が最大になる理想長に比べて１／１０以下に定めたことを特徴とする無線端末。
【請求項９】
請求項１，請求項２，請求項３，請求項４及び請求項５のいずれかの無線端末において、前記筐体の設置面に磁石を配置したことを特徴とする無線端末。
【発明の詳細な説明】
【０００１】
【発明の属する技術分野】
本発明は、電波を利用して他局との間で通信する無線端末に関する。
【０００２】
【従来の技術】
電波を利用して情報の無線伝送を行う無線端末の通信性能、すなわち通信品質や通信可能範囲は、アンテナ及び筐体の構造や特性に応じて大きく変化する。つまり、アンテナ及び筐体の構造や特性がアンテナ利得に大きな影響を及ぼす。
従って、無線端末の通信品質を改善したり通信可能範囲を広げるためには、アンテナ利得が向上するようにアンテナ及び筐体の構造や特性を設計しなければならない。
【０００３】
従来より、無線端末におけるアンテナ及び筐体の構造や特性を設計する場合には、通常はコンピュータを利用した設計シミュレーション装置を用いて、次のような手順で設計を行っている。
まず、アンテナの形状，大きさ及びアンテナ利得をパラメータとして入力し、無線端末の仕様（通信品質や通信可能範囲）を満たし、かつアンテナ利得が最大になるようにアンテナの形状や大きさを決定する。
【０００４】
次に、既に設計したアンテナのアンテナ利得が損なわれないように無線端末を収容する筐体の形状や材質を決定する。
この場合、アンテナ自体はアンテナ利得が最大になるように形状や大きさが設計されているので、筐体の材質として金属などの導電体を用いたりアンテナを筐体などの金属と接触させたりすると、アンテナの特性が変化し、アンテナ利得が著しく低下することになる。
【０００５】
従って、金属の部品がアンテナに接近しないように各部品を配置するとともに、筐体の材料には金属のような導電体ではなく絶縁体を用いていた。
ところで、このような無線端末においては、アンテナ利得が変化しないように設計されるのが一般的である。アンテナ利得を変更する技術としては、次の特許文献１が知られている。
【特許文献１】
特開２００１−３５８６０４（アンテナ利得切替装置）
【０００６】
【発明が解決しようとする課題】
例えば携帯電話や携帯情報端末（ＰＤＡ）のように小型の無線端末においては、部品の実装可能な空間が極めて限られている。そのため、アンテナをその利得が最大になるように設計することはできない。つまり、アンテナ利得が最大になるように設計するためには、アンテナの長さとして、通信に使用する電波の波長に対して１／４もしくは１／２の長さが必要になる。
【０００７】
例えば、使用する電波のキャリア周波数が３００ＭＨｚの場合には、最大のアンテナ利得を実現するアンテナの長さは約５０ｃｍになる。このような長いアンテナを搭載すると無線端末の小型化はできない。
また、アンテナの接地電極の面積を大きくすることにより、アンテナ利得を改善することが可能であるが、小型の無線端末の場合には、アンテナの接地電極の面積を大きくすることは物理的に無理であった。
【０００８】
このような理由により、無線端末を小型化する場合には、アンテナ利得が低下し、通信品質が劣化したり通信可能範囲が狭くなるのは避けられなかった。
ところで、無線端末において通信の開始動作及び終了動作を指示するためのスイッチは、スライドスイッチやプッシュスイッチのような物理的なスイッチとして設けられている。このようなスイッチは通信の開始及び終了を指示するために不可欠なので省略することはできない。
【０００９】
しかし、物理的なスイッチは小型化が難しく、人間の操作を可能にするために操作部をある程度大きくする必要がある。従って、小型の無線端末を実現しようとする場合に、スイッチが小型化の妨げになっている。
本発明は、小型化が容易な無線端末を提供するとともに、通信品質の改善や通信可能範囲の拡大が可能な無線端末を提供することを目的とする。
【００１０】
【課題を解決するための手段】
請求項１は、電波を放射もしくは受信するアンテナを備え、所定の筐体に収納された無線端末において、前記筐体の設置面もしくは底面の主要部分を平坦な形状に形成するとともに、前記アンテナをその一部分が前記筐体の設置面もしくは底面の表面に露出する状態で配置したことを特徴とする。
【００１１】
請求項１においては、この無線端末を導電体である人体に接触もしくは近接した状態で配置したり、金属のような導電体で構成される物体（以下、設置対象物）に設置したり貼り付けた状態で使用することを想定している。
請求項１においては、アンテナは一部分が筐体の設置面もしくは底面の表面に露出しているので、アンテナは設置対象物と接触したり近接した状態で設置されることになる。
【００１２】
設置対象物は金属などの導電体であるため、設置した状態ではアンテナと設置対象物とが電気的に接続されるか、あるいは静電結合もしくは電磁結合により接続される。その結果、アンテナの特性は設置対象物の影響を受けて変化する。つまり、設置対象物がアンテナの一部分として機能する。
もしも、アンテナの長さがアンテナ利得が最大になる理想長である場合には、無線端末を設置した状態でアンテナ利得は劣化する。ところが、アンテナの長さが理想長よりも著しく短い場合のように、アンテナ単独ではアンテナ利得が最大値よりも大幅に低下するように設計されている場合には、無線端末を設置することによりアンテナの実効長が長くなりアンテナ利得が増大する。
【００１３】
その結果、アンテナの受信感度が改善され、アンテナからの送信出力が増大する。従って、通信品質が改善され、ビットエラーレートが低下し、通信可能範囲が拡大する。
特に、小型化を優先するためにアンテナ利得を犠牲にしてアンテナを小型化した場合には、従来よりもアンテナ利得が改善される。
【００１４】
請求項２は、電波を放射もしくは受信するアンテナを備え、所定の筐体に収納された無線端末において、前記筐体の設置面もしくは底面の主要部分の表面に板状の導電体を露出する状態で配置し、前記アンテナをその一部分が前記設置面もしくは底面の導電体と接触もしくは接近した状態で配置したことを特徴とする。請求項２においては、この無線端末を導電体である人体に接触もしくは近接した状態で配置したり、金属のような導電体で構成される設置対象物に設置したり貼り付けた状態で使用することを想定している。
【００１５】
請求項２においては、筐体の設置面もしくは底面の主要部分の表面に板状の導電体を露出する状態で配置してあるので、この板状の導電体は設置対象物と接触したり近接した状態で設置されることになる。
また、アンテナは導電体と接触もしくは接近した状態で配置されているので、アンテナは無線端末の設置面に設けた導電体を介して設置対象物と電気的に接続されるか、あるいは静電結合もしくは電磁結合により接続される。その結果、アンテナの特性は設置対象物の影響を受けて変化する。つまり、設置対象物がアンテナの一部分として機能する。
【００１６】
もしも、アンテナの長さがアンテナ利得が最大になる理想長である場合には、無線端末を設置した状態でアンテナ利得は劣化する。ところが、アンテナの長さが理想長よりも著しく短い場合のように、アンテナ単独ではアンテナ利得が最大値よりも大幅に低下するように設計されている場合には、無線端末を設置することによりアンテナの実効長が長くなりアンテナ利得が増大する。
【００１７】
その結果、アンテナの受信感度が改善され、アンテナからの送信出力が増大する。従って、通信品質が改善され、ビットエラーレートが低下し、通信可能範囲が拡大する。
特に、小型化を優先するためにアンテナ利得を犠牲にしてアンテナを小型化した場合には、従来よりもアンテナ利得が改善される。
【００１８】
また、請求項１のようにアンテナを設置対象物と直接対向させた場合には、アンテナが小さいため、それらの結合状態が不安定になりやすい。しかし、請求項２では無線端末に設けた板状の導電体は面積をある程度大きくできるので、それと設置対象物との間の結合状態を安定に維持できる。従って、アンテナと設置対象物との結合状態を安定化し、安定した通信を実現できる。
【００１９】
請求項３は、電波を放射もしくは受信するアンテナを備え、所定の筐体に収納された無線端末において、前記アンテナをその一部分が前記筐体の設置面もしくは底面に対向する状態で配置するとともに、前記アンテナの先端部と前記筐体の設置面もしくは底面との間に、所定間隔の間隙又は絶縁体を設けたことを特徴とする。
【００２０】
請求項３においては、この無線端末を導電体である人体に接触もしくは近接した状態で配置したり、金属のような導電体で構成される設置対象物に設置したり貼り付けた状態で使用することを想定している。
請求項３では、無線端末を金属などの導電体で形成された設置対象物に設置することにより、設置対象物と無線端末上のアンテナ先端とが所定距離になるので、それらの間に静電結合又は電磁結合が生じる。従って、設置対象物がアンテナの一部分として機能し、アンテナ利得が改善される。
【００２１】
請求項４は、電波を放射もしくは受信するアンテナを備え、所定の筐体に収納された無線端末において、前記筐体の設置面もしくは底面の主要部分を平坦な形状に形成するとともに、前記アンテナの接地電極をその一部分が前記筐体の設置面もしくは底面の表面に露出する状態で配置したことを特徴とする。
請求項４においては、この無線端末を導電体である人体に接触もしくは近接した状態で配置したり、金属のような導電体で構成される設置対象物に設置したり貼り付けた状態で使用することを想定している。
【００２２】
請求項４においては、アンテナの接地電極は筐体の設置面もしくは底面の表面に露出しているので、この接地電極は設置対象物と接触したり近接した状態で設置されることになる。
設置対象物は金属などの導電体であるため、設置した状態ではアンテナの接地電極と設置対象物とが電気的に接続されるか、あるいは静電結合もしくは電磁結合により接続される。その結果、アンテナの接地電極は実効面積が拡大し、アンテナ利得が改善される。
【００２３】
請求項５は、電波を放射もしくは受信するアンテナを備え、所定の筐体に収納された無線端末において、前記筐体の設置面もしくは底面の主要部分の表面に板状の導電体を露出する状態で配置し、前記アンテナの接地電極をその一部分が前記設置面もしくは底面の導電体と接触もしくは接近した状態で配置したことを特徴とする。
【００２４】
請求項５においては、この無線端末を導電体である人体に接触もしくは近接した状態で配置したり、金属のような導電体で構成される設置対象物に設置したり貼り付けた状態で使用することを想定している。
請求項５においては、筐体の設置面もしくは底面の主要部分の表面に板状の導電体を露出する状態で配置してあるので、この板状の導電体は設置対象物と接触したり近接した状態で設置されることになる。
【００２５】
また、アンテナの接地電極は導電体と接触もしくは接近した状態で配置されているので、この接地電極は無線端末の設置面に設けた導電体を介して設置対象物と電気的に接続されるか、あるいは静電結合もしくは電磁結合により接続される。その結果、アンテナの接地電極は実効面積が拡大し、アンテナ利得が改善される。
請求項６は、電波を放射もしくは受信するアンテナを備え、所定の筐体に収納された無線端末において、前記アンテナもしくはその接地電極を少なくともその一部分が前記筐体の外側に露出する状態で配置するとともに、前記アンテナもしくはその接地電極の露出部分と接触もしくは接近した状態で連結可能に構成され、可撓性の線状の導電体もしくはチェーン状の導電体で形成された取り付け部材を設けたことを特徴とする。
【００２６】
請求項６においては、この無線端末を導電体である人体に接触もしくは近接した状態で配置したり、金属のような導電体で構成される設置対象物に設置したり貼り付けた状態で使用することを想定している。
請求項６においては、取り付け部材を人体の首や設置対象物にかけて無線端末を設置することができる。この取り付け部材は、線状もしくはチェーン状の導電体で形成されており、しかもアンテナ又はアンテナの接地電極の露出部分と接触もしくは接近した状態で連結する。
【００２７】
従って、設置状態では、無線端末のアンテナ又はアンテナの接地電極は取り付け部材を介して導電体である人体や設置対象物と結合する。その結果、アンテナの実効長が長くなるか、あるいはアンテナの接地電極の実効面積が大きくなり、アンテナ利得が改善される。
請求項７は、請求項１，請求項２，請求項３，請求項４，請求項５及び請求項６のいずれかの無線端末において、前記アンテナの長さを、アンテナ利得が最大になる理想長に比べて２／３以下に定めたことを特徴とする。
【００２８】
請求項７においては、アンテナの長さが理想長に比べて著しく短いため、アンテナ単体のアンテナ利得は最大のアンテナ利得に比べて大幅に劣化する。従って、無線端末を設置した状態でアンテナ又はアンテナの接地電極を人体や設置対象物と結合することにより、アンテナ利得が改善される。
請求項８は、請求項１，請求項２，請求項３，請求項４，請求項５及び請求項６のいずれかの無線端末において、前記アンテナの長さを、アンテナ利得が最大になる理想長に比べて１／１０以下に定めたことを特徴とする。
【００２９】
請求項８においては、アンテナの長さが理想長に比べて著しく短いため、アンテナ単体のアンテナ利得は極めて小さくなる。
従って、無線端末を所定の状態で設置しない場合にはほとんど通信できない状態になる。しかし、無線端末を設置した状態でアンテナ又はアンテナの接地電極を人体や設置対象物と結合することにより、アンテナ利得が改善され、通信ができる状態になる。
【００３０】
このため、物理的なスイッチを操作しなくても、無線端末を所定の状態で設置することにより、通信不可能な状態から通信を開始できる状態に切り替えることができる。
【００３１】
また、物理的なスイッチを操作しなくても、無線端末を人体や設置対象物から取り外すことにより、アンテナ利得が小さくなるので、通信可能な状態から通信不可能な状態に切り替わる。
従って、通信の開始及び終了を切り替えるために物理的なスイッチを設ける必要がなくなる。物理的なスイッチを省略することにより、無線端末の更なる小型化が可能になる。
【００３２】
請求項９は、請求項１，請求項２，請求項３，請求項４及び請求項５のいずれかの無線端末において、前記筐体の設置面に磁石を配置したことを特徴とする。請求項９においては、無線端末の設置面に磁石を配置してあるので、設置対象物の面が垂直な場合であっても、この無線端末を設置することができる。
【００３３】
【発明の実施の形態】
（第１の実施の形態）
本発明の無線端末の１つの実施の形態について、図１を参照しながら説明する。この形態は、請求項１，請求項７及び請求項８に相当する。図１はこの形態の無線端末の構成を示す正面図である。
【００３４】
この形態では、請求項１の設置面及びアンテナは、それぞれ設置面１１ａ及びアンテナ１３に対応する。
図１に示すように、無線端末を構成する各構成要素は箱状の筐体１１に収納されている。また、この無線端末の電気回路の大部分は回路基板１２上に配置されている。アンテナ１３も回路基板１２に固定されている。
【００３５】
アンテナ１３の材質としては、金属のような導電体あるいは誘電体が用いられる。筐体１１は電気絶縁性の材料で構成されている。回路基板１２は筐体１１に固定されている。
【００３６】
アンテナ１３については、公知のモノポールアンテナ，ループアンテナ，ダイポールアンテナ，ヘリカルアンテナ，逆Ｆアンテナなどを適用できる。但し、アンテナ１３の長さは理想長と比べて著しく短くしてある。
一般的なアンテナにおいては、通信に利用する電波の波長λに対して約１／２λ又は１／４λが理想長であり、これが最大のアンテナ利得の得られる長さである。しかし、本発明では通信を行う際にアンテナ１３を単体で利用することを想定していないので、例えば１／１０λ程度の短いアンテナ１３を用いることもでき、極端な場合にはアンテナ１３を接続せずに極めて短い電極だけで実質的なアンテナを構成することもできる。
【００３７】
この無線端末においては、例えば導電体である人体に装着したり、金属などの導電体で構成された設置対象物２０に設置したり貼り付けたりした状態で使用することを想定している。
通常は設置対象物２０の面は平坦なので、筐体１１の底面である設置面１１ａも平坦に形成されている。
【００３８】
アンテナ１３は、基部が回路基板１２に固定され、先端部が筐体１１の設置面１１ａと同じ位置まで延び、先端部は開口部１１ｂから外部に露出している。
そのため、設置面１１ａが設置対象物２０の表面と接触するように、この無線端末を設置対象物２０上に設置すると、設置面１１ａから露出しているアンテナ１３の先端部も設置対象物２０の表面と接触するか又は接近した状態になる。
【００３９】
従って、この無線端末を設置対象物２０上に設置すると、アンテナ１３に設置対象物２０の導電体が電気的に接続され、設置対象物２０がアンテナ１３の一部分として機能するためアンテナ１３の実効長が長くなる。
アンテナ１３自体の長さは理想長に比べて著しく短いため、アンテナ１３単体のアンテナ利得は非常に小さい。しかし、無線端末が設置対象物２０上に設置されるとアンテナ１３の実効長が長くなるため、アンテナ１３のアンテナ利得は増大する。
【００４０】
アンテナ利得が増大すると、受信感度が改善されたり、アンテナ１３からの送信出力が増大する。すなわち、通信品質が向上し、ビットエラーレートが低下し、通信可能範囲が広がる。
このため、無線端末を小型化することを優先するために、アンテナ利得を犠牲にして長さの短いアンテナ１３を用いた場合であっても、使用状態ではアンテナ利得を改善することができる。
【００４１】
上記のように、この無線端末は設置状態か否かに応じてアンテナ利得が変化するため、アンテナ利得の変化に伴って通信可能範囲が大きく変化する。この変化をスイッチとして利用することができる。
そこで、この形態の無線端末においては、通信停止状態から通信を開始するためのスイッチ、並びに通信状態から通信停止状態に移行するためのスイッチとして、物理的なスイッチの装備を廃止している。
【００４２】
すなわち、無線端末を設置対象物２０などに設置していない状態では通信可能範囲が極めて狭いため、他の無線端末との間の通信は不可能に近い。従って通信は停止した状態になる。
例えば、自局が受信待ち状態で待機している時に他の無線端末が送信した場合であっても、その信号を自局は受信できない。そして、この無線端末を設置対象物２０などに設置すると、アンテナ利得が増大し、通信可能範囲が広がるため、他の無線端末との間で通信を行うことが可能になる。
【００４３】
例えば、他の無線端末からの信号を正しく受信した場合に、自局におけるセンシングや各種制御並びに転送などの処理を開始すればよい。
一方、自局の通信相手となりうる他の無線端末が受信待ち状態で待機している時に、自局が設置状態でなければ、自局が信号を送信したとしてもその信号を他の無線端末は受信できないので、通信は開始されない。
【００４４】
自局が設置状態に変化すると、自局から送信された信号が受信待ち状態で待機している他の無線端末に正しく受信されることになる。その結果、他の無線端末はセンシングや各種制御並びに転送などの処理を開始するので、通信が開始される。
つまり、人間の操作により無線端末を設置対象物２０などに設置していない状態から設置状態に移行すると、通信は実質的な停止状態から通信可能な状態に切り替わる。従って、通信を開始するために物理的なスイッチを操作する必要はない。
【００４５】
また、設置対象物２０などに設置され通信可能な状態にある無線端末を、人間の操作により設置対象物２０から取り外すと、無線端末のアンテナ利得が低下し、通信可能範囲が狭くなる。従って、他の無線端末との間で無線通信を行っていた場合には、この無線端末を設置対象物２０から取り外すことにより無線通信は終了する。このため、無線通信を終了するために物理的なスイッチを操作する必要はない。
【００４６】
物理的なスイッチの設置を省略することにより、無線端末の小型化が容易になる。また、小型の端末を実現するために一般的に用いられる超小型の物理スイッチは、小さすぎて操作が困難であるが、無線端末自体の設置や取り外しを行うことは容易である。
（第２の実施の形態）
本発明の無線端末の１つの実施の形態について、図２を参照しながら説明する。この形態は、請求項２に相当する。図２はこの形態の無線端末の構成を示す正面図である。
【００４７】
請求項２の設置面，導電体及びアンテナは、それぞれ設置面１１ａ，底部導体１５及びアンテナ１３に対応する。
この形態は第１の実施の形態の変形例である。図２において図１と対応する要素は同一の符号を付けて示してある。第１の実施の形態と同じ部分については以下の説明を省略する。
【００４８】
図２に示すように、筐体１１の設置面１１ａには底部導体１５が露出した状態で筐体１１に固定してある。底部導体１５は金属などの導電体で構成してある。また、設置対象物２０の表面が平坦であることを想定し、底部導体１５は平板状に形成してある。
アンテナ１３は、基部が回路基板１２に固定され、先端部が底部導体１５と接触した状態で配置されている。
【００４９】
従って、図２の無線端末を設置対象物２０上に設置すると、底部導体１５が設置対象物２０と接触もしくは近接した状態で保持される。そのため、アンテナ１３は底部導体１５を介して設置対象物２０と電気的に接続される。
つまり、アンテナ１３の長さは理想長に比べて著しく短いが、無線端末を設置対象物２０上に設置すると設置対象物２０によってアンテナ１３の実効長が長くなり、アンテナ利得が増大する。
【００５０】
アンテナ利得が増大すると、受信感度が改善されたり、アンテナ１３からの送信出力が増大する。すなわち、通信品質が向上し、ビットエラーレートが低下し、通信可能範囲が広がる。
このため、無線端末を小型化することを優先するために、アンテナ利得を犠牲にして長さの短いアンテナ１３を用いた場合であっても、使用状態ではアンテナ利得を改善することができる。
【００５１】
この形態では、底部導体１５を設けることによって、底部導体１５と設置対象物２０との間の接触面積が拡大するので、アンテナ１３の先端部の面積が小さい場合であっても、アンテナ１３と設置対象物２０との間で良好な接続関係を維持でき、安定した無線通信が可能になる。
（第３の実施の形態）
本発明の無線端末の１つの実施の形態について、図３を参照しながら説明する。この形態は、請求項３に相当する。図３はこの形態の無線端末の構成を示す正面図である。
【００５２】
請求項３のアンテナ，設置面及び間隙は、それぞれアンテナ１３，設置面１１ａ及び間隙１６に対応する。
この形態は第１の実施の形態の変形例である。図３において図１と対応する要素は同一の符号を付けて示してある。第１の実施の形態と同じ部分については以下の説明を省略する。
【００５３】
図３に示すように、アンテナ１３の先端部と筐体１１の設置面１１ａとの間には間隙１６が設けてある。実際には、設置面１１ａの周辺部で筐体１１の底部を設置対象物２０と接触させることにより、所定寸法の間隙１６を確保している。なお、電気絶縁体で構成される平板状の材料を間隙１６の代わりに設置面１１ａに配置しても同様の結果が得られる。
【００５４】
この形態では、アンテナ１３が金属のような導電体で構成される場合を想定しているので、無線端末を導電体で構成される設置対象物２０の上に設置した状態では、導電体であるアンテナ１３及び設置対象物２０が間隙１６すなわち電気絶縁体である空気層を介して対向する。従って、アンテナ１３と設置対象物２０との間にキャパシタが形成され、アンテナ１３と設置対象物２０との間に静電結合が生じる。
【００５５】
また、アンテナ１３と設置対象物２０との距離が近い場合には、それらの間に電磁結合も生じる。
実際には、アンテナ１３と設置対象物２０との距離の大小に応じて、静電結合及び電磁結合のいずれか一方が支配的に現れたり、両方の効果が現れたりすることになる。
【００５６】
いずれにしても、無線端末を導電体で構成される設置対象物２０の上に設置すると、アンテナ１３と設置対象物２０との間が静電結合又は電磁結合で電気的に接続され、設置対象物２０がアンテナ１３の一部として機能する。すなわち、アンテナ１３単体の場合と比べてその実効長が長くなるので、アンテナ利得が増大する。
【００５７】
アンテナ利得が増大すると、受信感度が改善されたり、アンテナ１３からの送信出力が増大する。すなわち、通信品質が向上し、ビットエラーレートが低下し、通信可能範囲が広がる。
このため、無線端末を小型化することを優先するために、アンテナ利得を犠牲にして長さの短いアンテナ１３を用いた場合であっても、使用状態ではアンテナ利得を改善することができる。
【００５８】
但し、間隙１６の寸法は、アンテナ１３と設置対象物２０との間で静電結合又は電磁結合が生じるように所定以下に定める必要がある。
（第４の実施の形態）
本発明の無線端末の１つの実施の形態について、図４を参照しながら説明する。この形態は、請求項４及び請求項５に相当する。図４はこの形態の無線端末の構成を示す正面図である。
【００５９】
この形態では、請求項４の設置面及び接地電極はそれぞれ設置面１１ａ及び接地導体１４に対応する。
この形態は第１の実施の形態の変形例である。図４において図１と対応する要素は同一の符号を付けて示してある。第１の実施の形態と同じ部分については以下の説明を省略する。
【００６０】
図４に示すように、アンテナ１３の接地電極と接続された接地導体１４は、筐体１１の設置面１１ａに配置され、筐体１１の外側に露出している。
従って、この無線端末を導電体で構成される設置対象物２０の上に設置すると、無線端末の接地導体１４は対向する設置対象物２０と接触して電気的に接続される。このため、接地導体１４の面積が小さい場合であっても、無線端末を設置対象物２０上に設置すると接地導体１４の実効面積が拡大する。これにより、アンテナ利得が増大する。
【００６１】
なお、図２に示すような底部導体１５を設置面１１ａに設ける場合には、接地導体１４を設置面１１ａに配置する必要はなく、接地導体１４の一部分を底部導体１５と電気的に接続すればよい。
いずれにしても、アンテナ利得が増大すると、受信感度が改善されたり、アンテナ１３からの送信出力が増大する。すなわち、通信品質が向上し、ビットエラーレートが低下し、通信可能範囲が広がる。
【００６２】
（第５の実施の形態）
本発明の無線端末の１つの実施の形態について、図５を参照しながら説明する。この形態は、請求項６に相当する。図５はこの形態の無線端末の構成を示す正面図である。
この形態では、請求項６のアンテナ及び取り付け部材はそれぞれアンテナ１３及び取り付け部材１７に対応する。
【００６３】
この形態は第１の実施の形態の変形例である。図５において図１と対応する要素は同一の符号を付けて示してある。第１の実施の形態と同じ部分については以下の説明を省略する。
この形態では、無線端末を人体に装着した状態で使用するために、無線端末をネックレスのような形態で人間の首などにかけて装着することを想定している。
【００６４】
図５の例では、アンテナ１３の先端部１３ａは開口部１１ｃから筐体１１の外側に露出した状態で配置されている。この先端部１３ａには、取り付け部材１７の一端を固定するための係合部が形成されている。
取り付け部材１７は、長さが人間の首周りよりも少し長く、可撓性のワイヤ状もしくはチェーン状の導電体で構成されている。取り付け部材１７の両端部には他の部材と係合するための所定の係合部が形成されている。
【００６５】
従って、図５に示すように取り付け部材１７の一端をアンテナ１３の先端部１３ａと接続し、取り付け部材１７の他端を筐体１１の特定部分と接続することができる。
この状態で、取り付け部材１７を人間の首周りに沿ってかければ、この無線端末は首から吊り下げた状態で人体に装着される。
【００６６】
取り付け部材１７を人間の首周りにかけると、人体と取り付け部材１７とが電気的に接続され、アンテナ１３も取り付け部材１７を介して導電体である人体と接続される。
そのため、人体や取り付け部材１７がアンテナの一部として機能し、アンテナ１３の実効長が長くなるためアンテナ利得が増大する。
【００６７】
アンテナ利得が増大すると、受信感度が改善されたり、アンテナ１３からの送信出力が増大する。すなわち、通信品質が向上し、ビットエラーレートが低下し、通信可能範囲が広がる。
図５の例では取り付け部材１７の一端をアンテナ１３と接続してあるが、アンテナ１３の代わりにアンテナの接地電極に取り付け部材１７を接続してもよい。その場合、取り付け部材１７を首にかけると、アンテナの接地電極に取り付け部材１７を介して人体が接続されるため、アンテナの接地電極の面積が増大し、アンテナ利得が増大する。
【００６８】
（第６の実施の形態）
本発明の無線端末の１つの実施の形態について、図６を参照しながら説明する。この形態は、請求項９に相当する。図６はこの形態の無線端末の構成を示す正面図である。
この形態では、請求項９の磁石は磁石１９に対応する。
【００６９】
この形態は第１の実施の形態の変形例である。図６において図１と対応する要素は同一の符号を付けて示してある。第１の実施の形態と同じ部分については以下の説明を省略する。
この形態では、図６に示すように筐体１１の設置面１１ａに磁石１９が装着してある。従って、設置対象物２０が磁性体であれば、磁石１９が設置対象物２０の表面に吸着するため、図６のように設置対象物２０が垂直面であったとしても無線端末は設置対象物２０に固定される。
【００７０】
図６の例では、アンテナ１３の先端部が筐体１１の設置面１１ａに露出しているので、無線端末を設置対象物２０に設置するとアンテナ１３は設置対象物２０と電気的に接続される。従って、設置対象物２０が導電体である場合には設置対象物２０がアンテナの一部として機能し、アンテナ１３の実効長が長くなるためアンテナ利得が増大する。
【００７１】
なお、設置対象物２０の表面が電気絶縁性のペンキなどで塗装されている場合であっても、塗装の厚みが所定以下であれば、設置対象物２０内の導電体とアンテナ１３との間が静電結合や電磁結合で接続されるので、アンテナ利得は増大する。
また、磁石１９が導電体である場合には、アンテナ１３の先端部を設置面１１ａに露出させる必要はなく、磁石１９に接触させるだけでよい。その場合、磁石１９をアンテナの一部として利用することもできる。
【００７２】
【発明の効果】
以上のように、本発明によれば無線端末の使用状態におけるアンテナ利得を劣化させることなく装置の小型化を実現できる。
【図面の簡単な説明】
【図１】第１の実施の形態の無線端末の構成を示す正面図である。
【図２】第２の実施の形態の無線端末の構成を示す正面図である。
【図３】第３の実施の形態の無線端末の構成を示す正面図である。
【図４】第４の実施の形態の無線端末の構成を示す正面図である。
【図５】第５の実施の形態の無線端末の構成を示す正面図である。
【図６】第６の実施の形態の無線端末の構成を示す正面図である。
【符号の説明】
１１  筐体
１１ａ  設置面
１１ｂ，１１ｃ  開口部
１２  回路基板
１３  アンテナ
１４  接地導体
１５  底部導体
１６  間隙
１７  取り付け部材
１９  磁石
２０  設置対象物
【図１】
2004159263.tif 000003
【図２】
2004159263.tif 000004
【図３】
2004159263.tif 000005
【図４】
2004159263.tif 000006
【図５】
2004159263.tif 000007
【図６】
2004159263.tif 000008